(57)【要約】      （修正有）【課題】地震大国日本の内閣府中央防災会議での最優先課題の「既設非耐震住宅の耐震化」を、既設木造住宅用免震工法により解決でき、今後建設される非免震木造住宅を免震装置付き住宅にリニューアルできる。また既設住宅の免震装置工事に依る相乗効果により、既設住宅のリフォーム工事等の需要が増し住宅産業に貢献できる。【解決手段】滑りＬ型鋼３を設けた上下皿型盤支承２，５と鋼球１ｃによる免震装置１１の、上下滑りＬ型部位１２，１３を土台と基礎の隙間に挿入して、上下皿型盤支承２，５を土台と基礎に固定し、更に下部皿型盤支承の下に増打基礎７ｃを設けた既設木造住宅用免震工法。【選択図】図１０
2007309077.tif 000002
【特許請求の範囲】
【請求項１】
滑りＬ型鋼を設けた上下皿型盤免震支承と鋼球による既設木造住宅用免震装置（図９参照）
【請求項２】
請求項１の免震装置の上下滑りＬ型部位を土台と基礎の隙間に挿入して上下皿型盤支承を土台と基礎に固定し更に下部皿型支承盤の下に増打基礎を設けた既設木造住宅用免震工法（図１０参照）
【請求項３】
滑りＬ型上下支承による既設木造住宅用滑り免震装置（図１４参照）
【請求項４】
請求項３の免震装置のＬ型支承を土台と基礎の隙間に挿入し既設木造住宅用滑り免震装置を土台と基礎に固定した既設木造住宅滑り免震工法（図１５参照）
【発明の詳細な説明】
【技術分野】
【０００１】本発明は木造戸建住宅等の建築物に設置する免震装置付住宅に関するものである。
【背景技術】
【０００２】地震大国日本の免震装置付住宅は、兵庫県南部地震以降に大手住宅メーカーやゼネコン等で新築時に設置する免震装置付住宅を開発して販売され始めたが、免震装置を一番必要としている既設木造家屋２，４５０万戸の内、非耐震既設木造住宅１，１１５万戸は、耐力壁と柱や梁等を、金物で補強する付け刃の耐力壁補修工事または、立て替えを余儀なくされている。【０００３】わが国は地震国にも関わらず新築木造住宅用の免震装置の開発でも、開発が難しく経済的に採算が合わないのが現状で、まして既設木造住宅用免震装置と既設木造住宅免震工法の開発が進んでいないのが現状で東海や東南海と南海地震がいつ起きてもおかしくない周期に入っているので既設住宅倒壊防止の為安価な既設木造用免震装置の開発が急がれている。【０００４】現在既設木造住宅に免震装置を設置するには、既設高層建築と同じ工法で、１、既設木造住宅の基礎から土台を切り離し  ２、既設住宅をジャッキアップし  ３、新たに既設住宅の下部に、免震装置用の基礎を設置して、これに  ４、免震装置をセットし、この上に  ５、架台を設け、これにジャッキアップした既設住宅の土台を、架台に固定する方法があるが新設住宅に免震装置を接置する費用の２倍前後の施工費が掛かる。【０００５】小規模の建築用免震装置は１９２４年特許となった鬼頭健三郎氏の皿型盤と球体による建築物耐震装置が有り今日でも小規模の建築用免震工法にはこれを応用した免震装置が多数使用されている。【０００６】戸建木造住宅用免震装置は皿型盤と球体や、ボールベアリングと油圧ダンパーを組み合わせた転がし工法とプレート同士を滑らす滑り工法の装置が主流である。
【発明の開示】
【発明が解決しようと課題】
【０００７】既設木造住宅に従来の皿型盤と球体による免震装置等を設置する工法は住宅の基礎と土台を切り離なし土台固定用の架台を設けなければならない
【０００８】土台を切り離した既設住宅を免新装置や架台を設置できる高さまでジャッキ等によりジャッキアップしなければならない
【０００９】免震装置用の基礎を新たに設けなければならない
【００１０】基礎の上に、皿型盤支承と球体による免震装置を設置する
【００１１】免震装置の上に架台を設けなければならない
【００１２】架台に既設住宅の土台を固定する為既設住宅をジャッキダウンしなければならない
【００１３】架台と既設住宅の土台を接続金物等で固定しなければならない
【００１４】既設住宅の基礎と土台間を外装材等でふさがなければならない
【００１５】台風などの揺れ止め装置が要る
【００１６】設置工事の工期が長く施工期間中は１階部分等の家具等は移転させなければならないし施主も仮住しなければならない
【００１７】免震装置以外にオイルダンパー等の揺れ止め装置やストッパーの、大掛かりな装置が必要で装置費や設置費用も高価
【課題を解決するための手段】
以上のような課題を解決するためにこの発明では，
【００１８】円錐部とストッパーを設けた皿型盤に滑りＬ型鋼とフレームを設けた上部支承及び円錐部とストッパーを設けた皿型盤に滑りＬ型鋼とアンカー固定用ナットを設けた下部支承と鋼球による既設木造住宅用免震装置（図９参照）
尚  １．既設木造住宅用免震装置のＬ型鋼を設けた皿型盤上部支承（図１〜４参照）のＬ型鋼に土台又は大引固定ラグスクリュー用穴を設けておく
２．既設木造住宅免震装置のＬ型鋼を設けた皿型盤下部支承（図５〜８参照）のＬ型鋼に基礎固定ボルト用ルーズ穴を設けておく
【００１９】土台又は大引き固定用ラグスクリュー穴を設けた滑りＬ型上部支承と基礎固定用ホールインアンカールーズ穴を設けたＬ型下部支承のスライド部位同士で滑り免震効果を発現できるように設置した既設木造住宅用滑り免震装置（図１４参照）
尚  Ｌ型上部支承は土台又は大引きがＬ型やＴ型の仕口部位に固定出来る様にＬ型に加工しておく（図１２参照）
【００２０】木造住宅用免震装置設置箇所の基礎上端と土台隙間の均しモルタル又はパッキンを撤去する
【００２１】基礎に滑りＬ型鋼を設けた皿型盤下部支承固定用のホールインアンカーを設ける。
【００２２】土台に木造住宅用免震装置の、滑りＬ型鋼を設けた皿型盤上部支承の滑りＬ型鋼スライド部位を土台と基礎の隙間に挿入してラグスクリュー等で固定する。
【００２２】木造住宅用免震装置設置箇所の基礎の上端と上部支承の滑りＬ型鋼スライド部位の隙間に、木造住宅用免震装置の構球をセットした、滑りＬ型鋼を設けた皿型盤下部支承の滑りＬ型鋼スライド部位を挿着して基礎のホールインアンカーにボルト等で固定する。
【００２３】滑りＬ型鋼を設けた皿型盤下部支承設置箇所の基礎上端と支承のＬ型鋼下部の隙間にセメント等を充填する
【００２４】滑りＬ型鋼を設けた皿型盤下部支承の下に、型枠を組み立て、コンクリートを打設する。（図１０参照）
【００２５】既設木造住宅全ての既設基礎上端と土台隙間の、敷きモルタル又はパッキンを撤去すする。
【００２６】既設木造住宅全ての基礎上端と、土台間のアンカーボルトを切断する。
【００２７】既設木造住宅に、既設木造住宅用免震を設けていない柱の下部土台と基礎の隙間に既設住宅用滑り免震装置のＬ型支承のスライド部位同士が接する様に、基礎のホールインアンカーにボルトで土台にはラグスクリュー等で固定して、滑り免震効果が発現できるように設置にする。（１５参照）
【００２８】既設木造住宅全ての１階床下の束を撤去して大引が束なしで床荷重に耐える様に梁材等で補強して構造用合板を貼り剛床にする
【発明の効果】
【００２９】既設木造住宅免震工法
円錐部とストッパーを設けた皿型盤に滑りＬ型鋼とフレームを設けた上部支承（図１〜４参照）及び円錐部とストッパーを設けた皿型盤に滑りＬ型鋼とアンカー固定用ナットを設けた下部支承（図５〜８参照）と鋼球による既設木造住宅用免震装置（図９参照）の上下Ｌ型鋼のスライド部位を土台と基礎の隙間に挿入して土台と基礎に固定して下部皿型盤の下に増し打ちコンクリート打設した既設木造住宅免震工法（図１０参照）だから下記の効果がある
【００３０】地震時地盤よりの横揺れは基礎と下部支承を共振させるが鋼球と上部皿型盤の転がり応力により震度７強のエネルギーを震度１前後に吸収出来る
【００３１】上下滑りＬ型鋼スライド部位の摩擦力により震度７強の横揺れを震度３前後に吸収出来る
【００３２】免震装置が静止時は土台よりの鉛直荷重を上下支承の滑りＬ型鋼より基礎を通し地盤に伝達出来る（図１０参照）
【００３３】円錐部とストッパーを設けた皿型盤の円錐部の勾配と鋼球の応力で地震時に可動した家屋を定位置に復原出来るしストッパー部で強振動の揺れを止めれる
【００３４】既設木造住宅滑り免震工法
土台又は大引き固定用ラグスクリュー穴を設けた滑りＬ型上部支承（図１２参照）と基礎固定用ホールインアンカー用ルーズ穴を設けた滑りＬ型下部支承（図１３参照）のスライド部位同士で滑り免震効果を発現出来るようにした既設木造住宅滑り免震装置（図１４参照）を土台と基礎の隙間に挿入して土台にラグスクリュー等で基礎にボルト等で固定した既設木造住宅滑り免震工法（図１５参照）だから下記の効果がある
【００３５】地震時地盤よりの揺れは基礎と滑りＬ型下部支承を共振させるが滑りＬ型上部支承スライド部位との滑り効果により震度７強の横揺れを震度３前後に吸収出来る
【００３６】免震装置が静止時は土台よりの鉛直荷重を上下滑りＬ型支承のスライド面により基礎を通し地盤に伝達出来（図１５参照）
【００３７】既設木造住宅用免震工法には下記の効果が生じる
【００３８】木造住宅用免震装置の皿型盤支承の滑りＬ型鋼スライド部位及び既設木造住宅滑り免震装置の上下Ｌ型支承スライド部の摩擦抵抗により、ダンパーと風揺れ止め機能が生じるのでダンパーと、風揺装置が不要。
【００３９】ダンパーと、揺止装置が不要だから、免震装置用の大掛かりな基礎（べた基礎底盤厚２５ｃｍ以上）も不要。
【００４０】滑りＬ型鋼を設けた皿型盤上下支承は既設基礎上端と土台の隙間に滑りＬ型鋼のスライド部位を挿入する工法で施工出来るので、既設住宅のジャッキアップが不要。
【００４１】既設木造住宅用免震工法は、滑りＬ型鋼を設けた皿型盤上下部支承のＬ型鋼のスライド部位を、基礎や土台の隙間に挿入して固定し下部支承の下部を増打基礎で処理する工法だから、大掛かりな基礎や架台が不要で、ジャッキアップも不要だから、これらの工費と施工、工期が不要。
【００４２】既設木造住宅のジャッキアップが不要だから、部分施工が出来、ユーザーは仮住まい無しで施工できる。
【００４３】仮住いが不要だから、その経費が不要。
【００４４】滑りＬ型鋼を設けた皿型盤上部支承と滑りＬ型上部支承を土台や大引に固定するので床組の強度が増す
【００４５】木造住宅免震装置の静止時は土台よりの鉛直荷重を上部滑りＬ型鋼を設けた皿型支承のＬ型鋼スライド部位と基礎の隙間に滑りＬ型鋼を設けた皿型盤下部支承のＬ型鋼スライド部位を挿入して基礎に固定し更に皿型盤下部支承の下に増打コンクリートを設ける工法だから上下皿型盤支承のＬ型鋼部スライド部位で、鉛直荷重を基礎より地盤に伝達出来る（図１０参照）
【００４６】木造住宅免震装置の静止時は上下皿型盤支承のＬ型鋼部位で、鉛直荷重を基礎より地盤に伝達出来る構造だから皿型盤部位上下支承に大きな応力が掛からないので上下皿型盤の部材は軟鋼等で安価に製造できる。（図１０参照）
【００４７】滑りＬ型鋼を設けた皿型盤上下部支承を軟鋼で製造出来るので鋼鈑のプレス加工と溶接等で製造でき鋳鉄製等の硬度な鋼材が不要だから安価に製造できる
【００４８】非耐震既設木造住宅に耐力壁補強工事をすることなく木造住宅用免震装置を付加する事で免震付き木造住宅が出来る。
【００４９】免震工事が、滑りＬ型鋼を設けた皿型盤上下部支承による装置や、Ｌ型滑り支承等に依る簡単な構造の装置だから安価に製造でき設置工事も簡易で施工費が安価経済的。
【００５０】木造住宅用免震装置を新設住宅建設時に付加するすると、免震装置付き新築木造住宅が建設出来る。
【発明を実施するための最良の形態】
【００５１】既設木造住宅免震工法
円錐部とストッパーを設けた皿型盤に滑りＬ型鋼とフレームを設けた上部支承及び円錐部とストッパーを設けた皿型盤に滑りＬ型鋼とアンカー固定用ナットを設けた下部支承と鋼球による既設木造住宅免震装置（図５）の上下滑りＬ型鋼部位を既設土台と既設基礎の隙間に挿入して土台と基礎に固定して下部皿型盤の下に増し打ちコンクリート打設した既設木造住宅免震工法（図１０）
尚  １．既設木造住宅免震装置のＬ型鋼を設けた皿型盤上部支承（図１〜４参照）のＬ型鋼に土台固定ラグスクリュー用穴を設けておく
２．既設木造住宅免震装置のＬ型鋼を設けた皿型盤下部支承（図５〜８参照）のＬ型鋼に基礎固定ボルト用ルーズ穴を設けて皿型盤の下部にアンカー固定用ナットを設けアンカーボルトをセットしておく【００５２】既設木造住宅滑り免震工法
土台又は大引き固定用ラグスクリュー穴を設けた滑りＬ型上部支承と基礎固定ホールインアンカーボルト用穴を設けたＬ型下部支承のスライド部位同士で滑り免震効果を発現できるようにした既設木造住宅滑り免震装置（図１４）のスライド部位部を土台と基礎の隙間に挿入して土台と基礎にボルト等で固定した既設木造住宅滑り免震工法（図１５参照）尚  Ｌ型上部支承は土台又は大引きがＬ型やＴ型の仕口部位に固定出来る様にＬ型に加工しておく（図１２参照）
【実施例１】
【００５３】円錐部とストッパーを設けた皿型盤に滑りＬ型鋼とフレームを設けた上部支承及び円錐部とストッパーを設けた皿型盤に滑りＬ型鋼とアンカー固定用ナットを設けた下部支承と鋼球による既設木造住宅用免震装置（図１〜９参照）
【実施例２】
【００５４】既設木造住宅用免震装置（図５参照）を既設土台と既設基礎にボルト等で固定して下部皿型盤の下にアンカーボルトを固定し増し打ちコンクリート打設した既設木造住宅免震工法（図１０参照）
【実施例３】
【００５５】土台又は大引き固定用ラグスクリュー穴を設けた滑りＬ型上部支承（図１２参照）と基礎固定用ホールインアンカーボルトルース穴を設けたＬ型下部支承（図１３参照）のスライド部位同士で滑り免震効果を発現できるようにした既設木造住宅滑り免震装置（図１４参照）尚  Ｌ型上部支承は土台又は大引きがＬ型やＴ型の仕口部位に固定出来る様にＬ型に加工しておく（図１２参照）
【実施例４】
【００５６】既設木造住宅滑り免震装置（図１４参照）のスライド部位部を土台と基礎の隙間に挿入して土台と基礎にボルト等で固定した既設木造住宅滑り免震工法（図１５参照）
【産業上の利用可能性】
【００５７】免震装置の支承の構造が簡単で軟鋼のプレートのプレス加工と溶接等で製造できるので鋳鉄製等の硬度材料や高度の技術が不要だから免震装置が安価に製造できるし既設基礎の上端と土台間の空間に免震装置をボルトナット等で固定し下部皿型盤支承の下に増打コンクリートン打設処理で既設非免震住宅を免震装置付き住宅に出来る。【００５８】地震大国日本の既設住宅を耐力壁で補強する事なく既設木造住宅免震装置を付加する事で現耐震技術の最先端の免震装置付住宅が施工出来るし、施工費も安価で工期も短くてすみ、リホーム工事との相乗効果も期待でき、また今後建設される全ての非免震木造住宅を免震装置付住宅にリニューアル出来る工法だから住宅産業への経済効果は大きい。
【図面の簡単な説明】
【００５９】
【図１】実施例１の既設木造用免震装置上部支承の平面図
【図２】実施例１の既設木造用免震装置上部支承のＡ−Ａ側面図
【図３】実施例１の既設木造用免震装置上部支承のＢ−Ｂ側面図
【図４】実施例１の既設木造用免震装置上部支承のＣ−Ｃ断面図
【図５】実施例１の既設木造用免震装置下部支承の平面図
【図６】実施例１の既設木造用免震装置下部支承のＤ−Ｄ側面図
【図７】実施例１の既設木造用免震装置下部支承のＥ−Ｅ側面図
【図８】実施例１の既設木造用免震装置下部支承のＦ−Ｆ断面図
【図９】実施例１の既設木造用免震装置の断面図
【図１０】実施例１の既設木造免震工法の静止時の断面図
【図１１】実施例１の既設木造免震工法の地震可動時の断面図
【図１２】実施例２の既設木造滑り免震装置上部支承の透視図
【図１３】実施例２の既設木造滑り免震装置下部支承の透視図
【図１４】実施例２の既設木造滑り免震装置の透視図
【図１５】実施例２の既設木造用滑り免震工法の透視図
【符号の説明】
【００６０】１      既設木造用免震装置
１ａ    既設木造用免震装置上部支承
１ｂ    既設木造用免震装置下部支承
１ｃ    鋼球
２      上部皿型盤
２ａ    円錐部
２ｂ    ストッパー部
３      滑りＬ型鋼
３ａ    スライド部
３ｂ    穴
３ｃ    ラグスクリュー
４      フレーム
５      下部皿型盤
５ａ    円錐部
５ｂ    ストッパー部
５ｃ    ナット
５ｄ    アンカーボルト
６      滑りＬ型鋼
６ａ    スライド部
６ｂ    穴
６ｃ    ボルト
７      基礎
７ａ    セメント
７ｂ    ホールインアンカー
７ｃ    増し打ちコンクリート
８      土台
９      構造用合板
１０    柱
１１    滑りＬ型免震装置
１２    滑りＬ型上部支承
１２ａ  穴
１３    滑りＬ型下部支承
１３ａ  穴
【図１】
2007309077.tif 000003
【図２】
2007309077.tif 000004
【図３】
2007309077.tif 000005
【図４】
2007309077.tif 000006
【図５】
2007309077.tif 000007
【図６】
2007309077.tif 000008
【図７】
2007309077.tif 000009
【図８】
2007309077.tif 000010
【図９】
2007309077.tif 000011
【図１０】
2007309077.tif 000012
【図１１】
2007309077.tif 000013
【図１２】
2007309077.tif 000014
【図１３】
2007309077.tif 000015
【図１４】
2007309077.tif 000016
【図１５】
2007309077.tif 000017